(57)【特許請求の範囲】
【請求項１】
露出に関するパラメータの設定値を変更可能な電子カメラであって、
前記露出に関するパラメータの設定値を変更する際のステップ幅を変更する変更手段と、
前記変更手段による前記ステップ幅の変更を、前記露出に関するパラメータのうち撮影感度以外の複数のパラメータの設定値を変更する際は反映させ、前記撮影感度の設定値を変更する際は反映させない制御手段と、を有することを特徴とする電子カメラ。
【請求項２】
前記制御手段は、前記変更手段による前記ステップ幅の変更を、前記露出に関するパラメータのうち前記撮影感度以外の少なくともブラケット撮影におけるブラケット補正量を含む複数のパラメータの設定値を変更する際は反映させることを特徴とする請求項１に記載の電子カメラ。
【請求項３】
前記制御手段は、前記変更手段による前記ステップ幅の変更を、シャッタースピード及び絞り値の設定値を変更する際は反映させることを特徴とする請求項２に記載の電子カメラ。
【請求項４】
前記制御手段は、前記変更手段による前記ステップ幅の変更を、適正露出に対する露出補正量の設定値を変更する際は反映させることを特徴とする請求項２または３に記載の電子カメラ。
【請求項５】
前記撮影感度の設定値を変更する際に操作される操作手段を有し、
前記操作手段は、前記露出に関するパラメータのうち前記撮影感度以外の少なくとも１つのパラメータの設定値を変更する際に操作されることを特徴とする請求項１ないし４のいずれか１項に記載の電子カメラ。
【請求項６】
前記ステップ幅は、前記露出に関するパラメータの設定値を変更する際の最小変化量であることを特徴とする請求項１ないし５のいずれか１項に記載の電子カメラ。
【請求項７】
露出に関するパラメータの設定値を変更可能な、前記露出に関するパラメータの設定値を変更する際のステップ幅を変更する変更手段を有する電子カメラの制御方法であって、
前記変更手段による前記ステップ幅の変更を、前記露出に関するパラメータのうち撮影感度以外の複数のパラメータの設定値を変更する際は反映させ、前記撮影感度の設定値を変更する際は反映させないことを特徴とする電子カメラの制御方法。
【発明の詳細な説明】
【０００１】
【発明の属する技術分野】
本発明は、電子カメラに関する。
【０００２】
【従来の技術】
従来、銀塩フィルムを用いるスチルカメラでは、夕暮れのシーンや高反射率の被写体が部分的に存在するなど、適正な露出の決定が困難な場合には、同一シーンの露出を僅かに変えながら複数枚コマ撮りし、その中から適正な露出のコマを選択する、所謂オートブラケット（Automatic Exposure Bracket）撮影が行われる。
【０００３】
撮像デバイスとして、ＣＣＤなどを用いる電子カメラを利用する場合でも、露出に関する事情は同じであり、適正でない露光量で撮影を行うと暗い画像（露出アンダー）や、逆に明る過ぎる画像（露出オーバー）しか得られないので、露出決定の難しいシーンでは、銀塩フィルムカメラと同様オートブラケット撮影を行うことになる。
【０００４】
この様な、オートブラケット撮影モードの設定方法としては、従来、オートブラケット設定モードを選択し、電子ダイヤルなどの操作部材を操作して、ブラケット撮影を行うための補正量を設定する。そして、通常の撮影モードに戻り、撮影を行うための露出値を決定する。そして、この露出値に対して、設定された補正量、露出を変えて（シャッタースピードや、絞り値を変えて）自動的に撮影を行う。
【０００５】
つまり、オートブラケット撮影を行うための中心値（基準値）は、オートブラケット設定モードを解除し、通常の撮影モードにて露出値が決定した段階で決まる。
【０００６】
また、電子カメラ特有の手法として、ＣＣＤのゲイン（撮像デバイスの撮影感度）やガンマー特性を変化させることで、ＩＳＯ感度の値を自動的に変化させてオートブラケット撮影を行う手法が特開平１１−００４３８０号公報にて開示されている。
【０００７】
また、撮影表現の領域拡大のため、絞り値やシャッタースピードなどの設定値の分解能を予め用意された候補の中から選択できる装置が開示されている。
【０００８】
ＣＣＤ等の電子デバイスを用いる電子カメラにおいても、この電子デバイスである撮像デバイスのゲイン即ち撮影感度は、銀塩フィルムカメラにおけるフィルム感度（ＩＳＯ感度）を設定値として用いるのが一般的となっている。
【０００９】
これはユーザーが電子カメラだけでなく銀塩フィルムカメラのユーザーでもある場合が多い事や、撮影パラメータ（絞り、シャッタースピード）の決定に際し、銀塩フィルムカメラで用いられてきた手法・装置がそのまま流用できるからである。
【００１０】
また、市販されているフィルムの感度（ＩＳＯ感度）の感度設定は１／３段ステップとなっている。したがって銀塩フィルムカメラ、電子カメラ共に設定できる撮影感度（ＩＳＯ感度）分解能は、通常１／３段ステップになっている。
【００１１】
【発明が解決しようとする課題】
この撮影感度（ＩＳＯ感度）分解能は、各種撮影パラメータ分解能を変更できるようにした銀塩フィルムカメラ及び電子カメラにおいても、１／３段ステップ固定となっている。その理由は、銀塩フィルムの感度が１／３段ステップで設定されていて、電子カメラのユーザーは銀塩フィルムカメラのユーザーと重複する事が多いからである。故に基準となるＩＳＯ感度の設定値を従来のフィルムと異なる１／３ステップ以外の分解能で設定できるようにした場合、銀塩フィルムにないＩＳＯ感度が選択できるようになってしまうためユーザーに混乱を招く事が考えられる。
【００１２】
また、電子カメラにおいて、撮像デバイスの撮影感度を振るＩＳＯブラケット撮影モードを考えた場合、ＩＳＯ感度（撮影感度）の設定値分解能である１／３段でのみブラケット補正量を設定出来るようにすると、適切な露出が得られなかったり、ユーザーが必要とする画像を得ることができなくなってしまう事が考えられる。つまりユーザーの撮影表現の自由度を妨げる事が考えられる。
【００１３】
本発明は上述の事情に鑑みて成されたもので、撮影表現の自由度を増しながら、ユーザーの混乱を招かない構成とした電子カメラ及び制御方法を提供することを目的とする。
【００１４】
【課題を解決するための手段】
本発明における解決手段を要約すれば、下記の通りである。
【００１５】
即ち、本発明にかかる電子カメラは、露出に関するパラメータの設定値を変更可能な電子カメラであって、前記露出に関するパラメータの設定値を変更する際のステップ幅を変更する変更手段と、前記変更手段による前記ステップ幅の変更を、前記露出に関するパラメータのうち撮影感度以外の複数のパラメータの設定値を変更する際は反映させ、前記撮影感度の設定値を変更する際は反映させない制御手段と、を有することを特徴とする。
【００１６】
【発明の実施の形態】
以下本発明に係る電子カメラの実施の形態を説明する。
【００１７】
図１は、本発明に係る実施例における一眼レフタイプ電子カメラの外観上面図、図２は、本発明に係る実施例における一眼レフタイプ電子カメラの外観背面図、図３は、本発明に係る実施例における一眼レフタイプ電子カメラの制御系の構成を示すブロック図、図４（ａ）、（ｂ）、（ｃ）、（ｂ′）、（ｃ′）、（ｄ′）は、本発明に係る実施例における一眼レフタイプ電子カメラのＬＣＤモニター装置の表示例を示す説明図、図５は、本発明に係る実施例における一眼レフタイプ電子カメラのＩＳＯブラケット設定動作を示すフローチャート、図６は、本発明に係る実施例における一眼レフタイプ電子カメラのＩＳＯブラケットの撮影シーケンスを示すフローチャート、図７は、図６のステップＳ２０４の撮影処理の詳細を示すフローチャートである。
【００１８】
以下、本発明の実施の形態を一眼レフタイプ電子カメラの実施例により詳しく説明する。
【００１９】
尚、本実施例では、記録手段として着脱可能な記録装置を用いているが、本発明は、これに限らず、記録装置を内蔵する形で同様に実施することができる。
【００２０】
図１及び図２には、本発明の実施例である“一眼レフタイプ電子カメラ”を示している。
【００２１】
図１は、本発明の実施例による一眼レフタイプの電子カメラの構成を示す外観上面図、図２は同電子カメラの構成を示す外観背面図である。
【００２２】
各図において、１００はカメラ本体、１１１はファインダー観察用の接眼窓である。図１及び図２において、１１２はＡＥ（自動露出）ロックボタン、１１３はＡＦ（オートフォーカス）の測距点選択ボタンである。
【００２３】
１１４は撮影操作をするためのレリーズボタンであり、第１ストロークでＳＷ１がＯＮし、第２ストロークでＳＷ２がＯＮする構成となっている。
【００２４】
１１５は第１の操作手段であるメイン電子ダイヤルで、例えば９０°位相のずれた２ビットの信号をマイクロコンピュータ１に送ることにより、回転方向と回転クリック数が検出される。
【００２５】
この回転方向と回転クリック数を検出することで、他の操作釦と併用して、カメラに数値を入力したり、撮影モードを切り換えたりすることが可能となる。
【００２６】
尚、この情報設定方法は、特開昭５８−６３９２２号や特開昭６０−１０３３３１号において公知であるので、詳しい説明は省略する。
【００２７】
図１及び図２において、１１７は撮影モード選択ボタン、１１８はＡＦモード選択ボタン、１１９は測光モード選択ボタンで、調光補正ボタンも兼ねている。
【００２８】
例えば、撮影モード選択ボタン１１７を押しながらメイン電子ダイヤル１１５を回転させると、Ｔｖ優先→Ａｖ優先→マニアル→プログラム→Ｔｖ優先→Ａｖ優先→マニアル→プログラム…と変更され、撮影者の意図するモードに設定することができる。
【００２９】
また、メイン電子ダイヤル１１５を逆回転させた時は、プログラム→マニアル→Ａｖ優先→Ｔｖ優先→プログラム→…とモードは変更される。
【００３０】
また、撮影モード選択ボタン１１７と電子ダイヤル１１５によりＴｖ優先がモードとして設定されている場合には、メイン電子ダイヤル１１５を回転させることにより撮影者の希望するＴｖ値を設定することができる。この時、後述するダイヤル分解能設定ＳＷを選択・設定することにより、ダイヤル回転１クリック当たりの変化量を変更する事ができる。
【００３１】
また、撮影モード選択ボタン１１７とメイン電子ダイヤル１１５によりＡｖ優先がモードとして設定されている場合には、メイン電子ダイヤル１１５を回転させることにより撮影者の希望とするＡｖ値を設定することができる。この時、後述するダイヤル分解能設定ＳＷを選択・設定することにより、ダイヤル回転１クリック当たりの変化量を変更する事ができる。
【００３２】
また、ＡＦモード選択ボタン１１８と測光モード選択ボタン１１９を同時に押すことで、ＩＳＯ値の設定やＩＳＯブラケットの設定ができるＩＳＯブラケット設定モードが選択される。尚、ＩＳＯブラケット設定モードに関しては、後に詳述する。
【００３３】
図２及び図３において、１２０は撮影された画像を表示する表示手段としてのＬＣＤモニター装置（液晶表示器）である。
【００３４】
図２において、１２１はＬＣＤモニター装置１２０をオン／オフするためのモニタースイッチである。
【００３５】
本実施例によるＬＣＤモニター装置１２０は透過形であるため、ＬＣＤモニター装置の駆動だけでは、画像を視認することはできず、必ずその裏面には不図示のバックライト照明装置が必要である。
【００３６】
図１及び図２において、１１６はメイン電子ダイヤル１１５と同様の機能を備えた、第２の操作手段であるサブ電子ダイヤルである。撮影モード選択ボタン１１７とメイン電子ダイヤル１１５によりマニュアルモードが設定された時には、絞り値の入力設定、プログラムモード（Ｐ）・シャッター優先モード（Ｔｖ）・絞り優先モード（Ａｖ）においては測光した適正露出に対し、カメラの制御露光量を変更する露出補正量の入力設定を行うものである。
【００３７】
図２において、１２２はこのサブ電子ダイヤル１１６による入力機能をロックするダイヤルロックスイッチ、１２３は本電子カメラの全ての動作を禁止するメインスイッチである。
【００３８】
１２５は、前記メイン電子ダイヤル１１５及びサブ電子ダイヤル１１６を使ってシャッタースピード、絞り値、露出補正量、ブラケット補正量などを設定する時の各ダイヤル１クリック当たりの変化量、即ちダイヤル分解能を設定するダイヤル分解能設定ＳＷ（設定値分解能変更手段）である。図２で示した位置にある時は、ダイヤル分解能が「１／２段」に設定されている。左側にＳＷが設定された時は「１／３段」に設定される。
【００３９】
１２４はＬＣＤモニター装置１２０に画像を表示する際や、カメラの初期設定の際にモードを選択するためのメニューボタンで、各モードを選択する時は、このメニューボタン１２４を押しながらサブ電子ダイヤル１１６を回転して希望のモードを選択する。希望のモードが選択された時、メニューボタン１２４を離すと選択・設定が完了する。
【００４０】
１４０は撮影条件等を表示する外部表示機能を備えた液晶表示装置よりなる外部液晶表示装置である。
【００４１】
撮影レンズ２００は、カメラ本体１００に対して、不図示の本体マウントを介して交換可能である。
【００４２】
図３は、本発明の実施例である“一眼レフタイプ電子カメラ”の制御系の構成を示すブロック図である。
【００４３】
図３において、１はカメラ本体に内蔵された制御手段であるところのマイクロコンピュータの中央処理装置（以下、ＭＰＵと記す）である。
【００４４】
ＭＰＵ１には、ＡＦ駆動回路１２，絞り駆動回路１３，ミラー駆動回路１４，焦点検出回路１６，シャッター駆動回路１７，映像信号処理回路１１，スイッチセンス回路２１，測光回路２３、液晶表示駆動回路２４が接続されている。ＭＰＵ１は各要素，上記回路を予め定めた順序でシーケンシャルに制御する。
【００４５】
２００は撮影レンズであり、１２はＡＦ（オートフォーカス）駆動回路で、例えば、ステッピングモータによって構成され、ＭＰＵ１の制御によって撮影レンズ２００内のフォーカスレンズ位置を変化させることによりＣＣＤ７にピントを合わせる。
【００４６】
絞り駆動回路１３は、例えば、オートアイリスなどによって構成され、ＭＰＵ１の制御によって絞り２を変化させて光学的な絞り値を変化させる。
【００４７】
メインミラー４は、撮影レンズ２００により結像される被写体像を、ペンタプリズム（ペンタゴナルダハプリズム）３へ導くと共に、その一部を透過させ、後述するサブミラー５を通して焦点検出センサー１５へ導くためのものである。そして、ミラー駆動回路１４により、ファインダーにて被写体像を観察可能な位置と、撮影時に被写体光束の光路から退避する退避位置とを可動自在に構成されている。
【００４８】
５はメインミラー４の一部を透過した被写体光を反射させて、焦点検出センサー１５へ被写体像を導くためのサブミラーである。このサブミラー５は、前記メインミラー４、又は、前記メインミラー４のミラー駆動回路１４と連動し、前記メインミラー４がファインダーにて被写体像を観察可能な位置にあるときには、焦点検出センサー１５へ被写体光を導く位置に、また、撮影時には被写体光束の光路から退避する退避位置に可動自在に構成されている。
【００４９】
ミラー駆動回路１４は、例えばＤＣモータとギヤトレインなどから構成され、ＭＰＵ１の制御によってメインミラー４やサブミラー５を駆動させる。
【００５０】
ペンタプリズム（ペンタゴナルダハプリズム）３は、メインミラー４によって導かれた被写体像を正立正像に変換反射する光学部材である。
【００５１】
撮影レンズ２００を通過した被写体光束は、絞り２を通過して、メインミラー４で反射され、ペンタプリズム３に導かれ、接眼窓１１１で被写体像を観察する。
【００５２】
更には測光センサー２２へも導かれる。また、メインミラー４を透過した光束はサブミラー５で反射され、ＣＣＤ７面とほぼ等価な位置におかれた焦点検出センサー１５の検出面上で再結像される。
【００５３】
その光像は、電気的なイメージ信号に変換されて焦点検出回路１６に供給される。
【００５４】
焦点検出回路１６はＭＰＵ１の信号に従い、焦点検出センサー１５の蓄積制御と読み出し制御を行って、画素情報をＭＰＵ１へ出力する。
【００５５】
ＭＰＵ１は焦点検出回路１６からの被写体像のイメージ信号に基づいて、周知の位相差検出法による焦点検出演算を行い、撮影レンズ２００による結像面とフィルム面等の予定結像面との差、即ち、デフォーカス量及びデフォーカス方向を求める。
【００５６】
そして、ＭＰＵ１は算出したデフォーカス量及びデフォーカス方向に基づいて、ＡＦ駆動回路１２を介して撮影レンズ２００内のフォーカスレンズ位置を変化させ合焦位置まで駆動する。
【００５７】
６は機械シャッター装置で、ファインダー観察時には被写体光束を遮り、撮像時にはレリーズ信号に応じて被写体光束の光路から退避して露光を開始させる先羽根群６ａ（図示略）と、ファインダー観察時には被写体光束の光路から退避していると共に、撮像時には先羽根群６ａの走行開始後、所定のタイミングで被写体光束を遮光する後羽根群６ｂ（図示略）とを有するフォーカルプレーンシャッターである。機械シャッター装置６はＭＰＵ１の指令を受けたシャッター駆動回路１７によって制御される。
【００５８】
本実施例においては、先羽根群６ａと後羽根群６ｂの両方とを有している場合について説明しているが、遮蔽部材を一つだけとして露光を開始する時は被写体光束の光路から退避し、撮影が終了後再び被写体光束の光路を遮蔽する位置まで戻るような構成としても構わない。
【００５９】
７は撮影レンズ２００により結像された被写体像を撮像して電気信号に変換する固体撮像素子である。固体撮像素子は、公知の２次元形撮像デバイスであるＣＣＤが用いられている。撮像デバイスには、ＣＣＤ形、ＭＯＳ形、ＣＩＤ形、ＣＰＤ形など様々な形態があり、何れの形態の撮像デバイスを採用しても良いが、本実施の形態においては、光電変換素子（フォトセンサ）が２次元的に配列され、各センサーで蓄積された信号電荷が垂直転送路、及び、水平転送路を介して出力されるインターライン形ＣＣＤ撮像素子が採用されている。
【００６０】
８はクランプ／ＣＤＳ（相関二重サンプリング）回路で、Ａ／Ｄ変換する前の基本的なアナログ処理を行うと共に、クランプレベルの変更も可能である。
【００６１】
９はＡＧＣ（自動利得調整装置）で、Ａ／Ｄ変換する前の基本的なアナログ処理を行うと共に、ＡＧＣ基本レベルの変更も可能である。尚、ＡＧＣ基本レベルは、後述するＩＳＯの設定に対応した値で行う。つまり、ＩＳＯの値が変更されると、ＡＧＣの基本レベルが変更されることになる。
【００６２】
１０はＡ／Ｄ変換器で、アナログのＣＣＤ７出力信号をデジタル信号に変換する。
【００６３】
尚、ＣＣＤ７，クランプ／ＣＤＳ回路８，ＡＧＣ９，Ａ／Ｄ変換器１０、ＣＣＤ駆動回路（図示略）とから撮像手段を構成している。
【００６４】
１１は映像信号処理回路で、デジタル化されたＣＣＤ７の画像データに、ガンマー／ニー処理、フィルター処理、モニター表示用の情報合成処理など、ハードウエアによる画像処理全般を担当する。
【００６５】
この映像信号処理回路１１からのモニター表示用の画像データは、ＬＣＤ駆動回路２５を介してＬＣＤモニター装置１２０に表示される。
【００６６】
これらの機能の切り換えは、ＭＰＵ１とのデータ交換により行われ、必要に応じてＣＣＤ７の出力信号のホワイトバランス情報をＭＰＵ１に出力可能であり、その情報を基にＭＰＵ１はホワイトバランス調整やゲイン調整を行う。
【００６７】
また、ＭＰＵ１の指示により、何もせずにメモリコントローラ２６を通じて、バッファメモリ２７に画像データを保存することも可能である。また、映像信号処理回路１１は、ＪＰＥＧなどの圧縮処理を行う機能も有している。
【００６８】
また、連写の場合は、一旦、バッファメモリ２７に画像データを格納し、処理時間が掛かる場合にメモリコントローラ２６を通して未処理の画像データを読み出し、映像信号処理回路１１で画像処理や圧縮処理を行い、連写スピードを稼ぐ構成となっている。
【００６９】
連写枚数は、バッファメモリ２７の容量に大きく左右される。
【００７０】
メモリコントローラ２６では、映像信号処理回路１１から入力された未処理のデジタル画像データをバッファメモリ２７に格納し、処理済みのデジタル画像をメモリ２８に格納したり、逆にバッファメモリ２７やメモリ２８から画像データを映像信号処理回路１１に出力したりする。
【００７１】
また、メモリコントローラ２６は、外部インターフェース２９から送られてくる映像をメモリ２８に記憶することや、メモリ２８に記憶されている画像を外部インターフェース２９から出力可能である。尚、メモリ２８は、カメラ本体に対して着脱可能に構成されている。
【００７２】
２１はスイッチセンス回路で、各スイッチの操作状態に応じて各部を制御する。
【００７３】
１１４ａはレリーズボタン１１４の第１ストロークによりオンするスイッチＳＷ１である。１１４ｂは、レリーズボタン１１４の第２ストロークによりオンするスイッチＳＷ２である。スイッチＳＷ２がオンされるとレリーズ操作が開始される。
【００７４】
また、メイン電子ダイヤル１１５，サブ電子ダイヤル１１６，撮影モード選択ボタン１１７、ＡＦモード選択ボタン１１８、測光モード選択ボタン１１９、ダイヤル分解能設定ＳＷ１２５が接続されていて、各ボタン／ＳＷの状態をＭＰＵ１へ送信する。
【００７５】
ダイヤル分解能設定ＳＷ１２５が、「１／２」側に設定されている時は（図２に示す状態）、メイン電子ダイヤル１１５、サブ電子ダイヤル１１６を回転させる際の１クリック当たりの変化量を１／２段に設定する。「１／３」側に設定されている時は、メイン電子ダイヤル１１５、サブ電子ダイヤル１１６を回転させる際の１クリック当たりの変化量を１／３段に設定する。分解能が変更させられるパラメータは、シャッタースピード、絞り値、露出補正量、ブラケット補正量である。
【００７６】
ＩＳＯ感度設定値、即ちＩＳＯブラケット撮影モードにおける基準値は、銀塩フィルムに存在しないＩＳＯ感度が表示される事で、ユーザーの混乱を招かないように、ダイヤル分解能設定ＳＷ１２５の位置に関係なく「１／３段」ステップとなっている。
【００７７】
２３は測光回路で、画面内の各エリアの輝度信号として、測光センサー２２からの出力をＭＰＵ１に出力する。ＭＰＵ１は輝度信号をＡ／Ｄ変換し、撮影時の露出を算出する。
【００７８】
２４は液晶表示駆動回路で、ＭＰＵ１の表示内容命令に従って、外部液晶表示装置１４０やファインダー内液晶表示器３０を駆動する。また、液晶表示駆動回路２４は、ＭＰＵ１の指示により特定のセグメントを点滅表示状態にすることが可能である。
【００７９】
３１は電源部で、各ＩＣ（集積回路）や駆動系に必要な電源を供給する。
【００８０】
次に、図４乃至図５を用いて、ＩＳＯブラケット撮影の設定方法について説明する。
【００８１】
ＩＳＯブラケット撮影とは、露光時間は変えずに（シャッタースピードや、絞り値を変化させずに）撮像素子の撮影感度値（撮像素子から出力される画像信号のゲイン調整値）を変化させてブラケット撮影することである。
【００８２】
尚、本実施の形態においては、説明の簡略化のため、ゲイン調整値に関して述べるが、勿論、シャッタースピード及び絞り値など画像の露出を制御するものであっても本願発明の目的を達成することができる。
【００８３】
図５のステップＳ１００において、ＡＦモード選択ボタン（ＳＷ）１１８とＡＥモード選択ボタン（ＳＷ）１１９の両方が、ＯＮしたか否かを判別する。ＯＮされたと判別されたならば、ステップＳ１０１へ移行し、ＩＳＯブラケット設定モードになる。この時、外部液晶表示装置１４０は、図４（ａ）、（ｂ）、（ｃ）、（ｂ′）、（ｃ′）、（ｄ′）に示す表示となる。
【００８４】
図４は、外部液晶表示装置１４０の表示画面を示しており、表示画面の下方に示されるドット表示は、そのブラケット補正量（ゲイン調整量）でブラケット撮影を行うことを表している。つまり、本実施の形態では、異なる３つのブラケット補正量（ゲイン調整量）でゲイン調整が行われることを示している。
【００８５】
図４において、図４（ａ）は初期の状態を示している。後に詳述する操作が行われると、図４（ｂ）もしくは図４（ｂ′）以降の表示に変化していく。
【００８６】
１４０ａは設定されているＩＳＯの値、即ちＩＳＯブラケット撮影モードにおける基準値を示している。１４０ｂはＩＳＯのブラケット補正量（ゲイン調整量）をドットにて示し、１ドット１／３段を表している。ダイヤル分解能設定ＳＷ１２５が１／３側に設定されている時は、１ドット単位で変化する。ダイヤル分解能設定ＳＷ１２５が１／２側に設定されている時、ブラケット補正量（ゲイン調整量）が１／２段ステップで変化する事になるが、１／２段の位置をドットで表す場合、１／２段の設定値の両側にあるドット二つを表示させて行っている。１段（±１、±２、±３等）毎の位置をドットで示す時は、対応する位置のドット一つで示している。１４０ｃはブラケット補正量（ゲイン調整量）を７セグメント表示にて示している。
【００８７】
図５に戻って、ステップＳ１０２，ステップＳ１０４では、それぞれメイン電子ダイヤル１１５とサブ電子ダイヤル１１６の入力を判別する。入力がされない時にはステップＳ１０９へ移行する。
【００８８】
ステップＳ１０２において、メイン電子ダイヤル１１５の入力が確認されると、ステップＳ１０３にて、ＩＳＯの値を変更する。
【００８９】
この時の図４における１４０ａの表示は、初期値の値がＩＳＯ２００ならば、メイン電子ダイヤル１１５が１クリック回転される毎に、２００→２５０→３２０→４００・・・１６００まで１／３段づつ画像信号のゲイン調整値が増加していく。また、逆回転方向に操作されると、１６００→１２５０→１０００→８００・・・→２００と画像信号のゲイン調整値が１／３づつ減少していく。これはダイヤル分解能設定ＳＷ１２５の位置に拘らず１／３毎の変化となっている。
【００９０】
図５に戻って、ステップＳ１０４にてサブ電子ダイヤル１１６の入力が確認されると、ステップＳ１０５にて、ダイヤル分解能設定ＳＷ１２５の位置を確認し、ダイヤル分解能設定ＳＷ１２５が１／３段側に設定されていた場合、ステップＳ１０７にて１クリック当たりのゲイン調整の変化量を１／３ＥＶとし、補正量を決定する。
【００９１】
この時の図４における１４０ｂの表示は、初期状態である図４（ａ）の状態から、サブ電子ダイヤル１１６が１クリック回転される毎に、１ドットづつ変化していく。図４（ｂ）は、サブ電子ダイヤル１１６が初期状態図４（ａ）から１クリック操作されたときのドットの状態を示し、図４（ｃ）はサブ電子ダイヤル１１６が初期状態から、２クリック操作された状態を示している。
【００９２】
また、サブ電子ダイヤル１１６を逆方向に回転させると、図４（ｃ）の状態から図４（ｂ）→図４（ａ）の状態へ１ドットづつ逆に変化していく。
【００９３】
１４０ｃの表示もドットの表示に対応して、サブ電子ダイヤル１１６が１クリック回転される毎に、０．０→０．３→０．７→・・・→３．０まで１／３段づつ変化していく。また、逆方向へ回転させると、３．０→２．７→２．３→・・・→０．０と変化していく。
【００９４】
ステップＳ１０５にて、ダイヤル分解能設定ＳＷ１２５の位置を確認し、ダイヤル分解能設定ＳＷ１２５が１／２段側に設定されていた場合、ステップＳ１０６にて１クリック当たりのゲイン調整の変化量を１／２ＥＶとし、補正量を決定する。
【００９５】
この時の図４における１４０ｂの表示は、初期状態である図４（ａ）の状態から、サブ電子ダイヤル１１６が１クリック回転される毎に、１ドットづつ変化していく。図４（ｂ′）は、サブ電子ダイヤル１１６が初期状態図４（ａ）から１クリック操作されたときのドットの状態を示し、図４（ｃ′）は、サブ電子ダイヤル１１６が初期状態から、２クリック操作された状態を示している。図４（ｄ′）は、サブ電子ダイヤル１１６が初期状態から、３クリック操作された状態を示している。
【００９６】
また、サブ電子ダイヤル１１６を逆方向に回転させると、図４（ｄ′）の状態から図４（ｃ′）→図４（ｂ′）→図４（ａ）の状態へ１ドットづつ逆に変化していく。
【００９７】
１４０ｃの表示もドットの表示に対応して、サブ電子ダイヤル１１６が１クリック回転される毎に、０．０→０．５→１．０→・・・→３．０まで１／２段づつ変化していく。また、逆方向へ回転させると、３．０→２．５→２．０→・・・→０．０と変化していく。
【００９８】
図５に戻って、ステップＳ１０６にてＩＳＯブラケットの補正が行われると、ステップＳ１０８にて、ＩＳＯブラケットのフラグを設定し、変数Ｎ＝０をＭＰＵ１内のメモリに記憶して、ステップＳ１０９へ移行する。このフラグが設定されると後述するＩＳＯブラケット撮影が行われる。つまりは、ＩＳＯ設定モードにてサブ電子ダイヤル１１６が操作され、ブラケット補正量が設定されると、ＩＳＯブラケット撮影が行われることになる。
【００９９】
ステップＳ１０９では、ＡＦモード選択ボタン（ＳＷ）１１８・ＡＥモード選択ボタン（ＳＷ）１１９がＯＦＦしたか否かを判別し、ＯＦＦしていない場合には、以上説明した操作を繰り返し、ＯＦＦされたと判別された時には、ＩＳＯブラケット設定モードを終了する。
【０１００】
次に、図６を用いて、ＩＳＯブラケットの撮影シーケンスについて説明する。
【０１０１】
図６のステップＳ２０１にて、ＳＷ１（１１４ａ）がＯＮされたか否かを判別し、ＯＮされたと判別されたならば、ステップＳ２０２へ移行する。
【０１０２】
ステップＳ２０２では測光回路２３の出力されたデータに基づいて、ＭＰＵ１にて露出値（シャッタースピードや絞り値を算出）を算出する。
【０１０３】
尚、前記測光回路２３は合焦した焦点検出領域を含む測光領域（不示図）に重み付けされた公知の測光演算を行い、露出値が演算される。
【０１０４】
また、同時に焦点検出回路１６の出力であるフォーカス情報に基づいてＭＰＵ１はレンズ駆動量を演算決定し、ＡＦ駆動回路１２を用いて撮影レンズ２００の一部のレンズを駆動し、ピント調整する。
【０１０５】
ステップＳ２０３では、ＳＷ２（１１４ｂ）がＯＮされたか否かを判別する。ＯＮされていないと判別された時には、ステップＳ２０１へ戻り、既に説明した動作を繰り返す。ステップＳ２０３にて、ＯＮされたと判別した時にはステップＳ２０４へ進む。
【０１０６】
このステップＳ２０４の撮影処理について図７を用い詳細に説明する。
【０１０７】
図７は、図６のステップＳ２０４における撮影処理の詳細なフローチャートを示す。
【０１０８】
ステップＳ３０１でミラー駆動回路１４は、ＭＰＵ１の命令により、メインミラー４・サブミラー５をミラーアップ位置に移動する。
【０１０９】
ステップＳ３０２において、ＭＰＵ１は図６のステップＳ２０２にて算出された絞り値に応じて、絞り駆動回路１３で絞り２を駆動する。
【０１１０】
ステップＳ３０３において、ＭＰＵ１は、ＣＣＤ７の電荷クリア動作を行った後に、ステップＳ３０４にてＣＣＤ７の電荷蓄積を開始して、ステップＳ３０５へ移行する。
【０１１１】
ステップＳ３０５において、シャッター駆動回路１７によって、機械シャッター装置６内の先羽根群６ａ（図示略）を駆動させ（シャッターが開く）、ＣＣＤ７の露光を開始する（ステップＳ３０６）。
【０１１２】
ステップＳ３０７において、ＭＰＵ１は、図６のステップＳ２０２にて算出されたＣＣＤ７の露光時間が終了したか否かを判別し、終了したと判別された時には、ステップＳ３０８へ移行する。
【０１１３】
ステップＳ３０８において、シャッター駆動回路１７はＭＰＵ１の指示に従い、機械シャッター装置６内の後羽根群６ｂ（図示略）を駆動して、シャッターを閉じ、ＣＣＤ７の露光を終了する。
【０１１４】
ステップＳ３０９において、絞り駆動回路１３は絞り２を開放の絞り値まで駆動すると共に、ステップＳ３１０にて、メインミラー４とサブミラー５をミラー駆動回路１３によってミラーダウン位置に移動する。
【０１１５】
ステップＳ３１１では、設定した電荷蓄積時間が経過したか否かを判別し、経過したと判別されたならばステップＳ３１２へ移行する。
【０１１６】
ステップＳ３１２において、ＭＰＵ１は、ＣＣＤ７の電荷蓄積を終了し、その後、ステップＳ３１３にて、ＣＣＤ７から撮像信号となる電荷信号を読み出す。
【０１１７】
一連の処理を終えたならば、撮影処理ルーチンステップＳ２０４を終了して、ステップＳ２０５へ移行する。
【０１１８】
図６に戻り、ステップＳ２０５では、図５のステップＳ１０８にてＩＳＯブラケットフラグが設定されているか否かを判別する。ＩＳＯブラケットフラグが設定されていない時には、ステップＳ２０８へ移行して、後述する動作を行う。
【０１１９】
ＩＳＯブラケットフラグが設定されている時には、ステップＳ２０６へ移行する。
【０１２０】
ステップＳ２０６では、ＭＰＵ１はは変数Ｎの値を調べ、Ｎ＝０ならば、ステップＳ２０７へ移行して、図５のステップＳ１０６にて設定されたブラケット補正量に相当する分、ＡＧＣ９はゲインをアンダー側へ補正する（ＩＳＯアンダー設定）。
【０１２１】
Ｎ＝１ならば、ステップＳ２０８へ移行して、ＡＧＣ９は、図５のステップＳ１０３にて設定したＩＳＯ値に相当する分のゲインにて補正を行う（ＩＳＯ標準設定）。
【０１２２】
Ｎ＝２ならば、ステップＳ２０９へ移行して、図５のステップＳ１０６にて設定されたブラケット補正量に相当する分、ＡＧＣ９はゲインをオーバー側へ補正する（ＩＳＯオーバー設定）。
【０１２３】
ステップＳ２１０では、映像信号処理回路１１にて所定の画像処理をした後に、圧縮処理を行って、ステップＳ２１１へ移行し、メモリコントローラ２６は圧縮されたデータをメモリ２８へ記録して、ステップＳ２１２へ移行する。
【０１２４】
ステップＳ２１２において、ＭＰＵ１は、ＭＰＵ１内の内部メモリに記憶されたＩＳＯブラケットフラグの状態を調べ、ＩＳＯブラケットフラグが設定されていたならばステップＳ２１３へ進み、ＩＳＯブラケットフラグが解除されていたならば一連の撮影が終了する。
【０１２５】
ステップＳ２１３では、ＭＰＵ１は、変数Ｎに対してＮ＝Ｎ＋１として、ステップＳ２１４へ移行する。
【０１２６】
ステップＳ２１４で、ＭＰＵ１は、変数ＮがＮ＝３に到達したかどうかを判断し、Ｎ＝３に到達していると判断されたならば、ステップＳ２１５にてＩＳＯブラケット実行フラグを解除して、撮影を終了する。
【０１２７】
ステップＳ２１４で変数ＮがＮ＝３に到達していないと判断されたならば、ステップＳ２０４へ戻り、次の撮影を行う。
【０１２８】
尚、本実施例における電子カメラの制御方法を実現する為のプログラムを格納する記憶媒体としては、例えば、ＦＤ、ＨＤ、ＣＤ−ＲＯＭ、ＣＤ−Ｒなどの磁気ディスク、光ディスク、光磁気ディスク（ＭＯ）、或いは磁気テープ等の、主として不揮発性の記憶装置が挙げられる。然し、記憶媒体の種類を限定するものではない。
【０１２９】
【発明の効果】
以上説明したように、本発明によれば、撮影表現の自由度を増しながら、ユーザーの混乱を招かない構成とすることができる。
【０１３１】
本実施例においては、設定値分解能変更手段であるダイヤル分解能設定ＳＷによる設定値は１／２、または１／３としたが、これに縛られる事なく、１／１や１／４等の本実施例に使われた以外の分解能を用いても同様の効果を得る事ができる。
【０１３２】
また本実施例においては、ＩＳＯブラケット撮影モードを複数回の撮影を行う事で実現していたが、撮像素子によって画像をデータ化するという電子カメラの特性を生かし、一回の撮影結果により得られた画像データにデータ処理を行う事で、複数回の撮影と同じ効果を得る事ができるＩＳＯブラケット撮影モードを実現する事も容易である。
【図面の簡単な説明】
【図１】  本発明に係る実施例における一眼レフタイプ電子カメラの外観上面図
【図２】  本発明に係る実施例における一眼レフタイプ電子カメラの外観背面図
【図３】  本発明に係る実施例における一眼レフタイプ電子カメラの制御系の構成を示すブロック図
【図４】（ａ）、（ｂ）、（ｃ）、（ｂ′）、（ｃ′）、（ｄ′）  本発明に係る実施例における一眼レフタイプ電子カメラのＬＣＤモニター装置の表示例を示す説明図
【図５】  本発明に係る実施例における一眼レフタイプ電子カメラのＩＳＯブラケット設定動作を示すフローチャート
【図６】  本発明に係る実施例における一眼レフタイプ電子カメラのＩＳＯブラケットの撮影シーケンスを示すフローチャート
【図７】  図６のステップＳ２０４の撮影処理の詳細を示すフローチャート
【符号の説明】
１  マイクロコンピュータ（ＭＰＵ）
２  絞り
３  ペンタプリズム（ペンタゴナルダハプリズム）
４  メインミラー
５  サブミラー
６  機械シャッター装置
７  ＣＣＤ
８  クランプ／ＣＤＳ回路
９  ＡＧＣ（自動利得調整装置）
１０  Ａ／Ｄ変換器
１１  映像信号処理回路
１２  ＡＦ駆動回路
１３  絞り駆動回路
１４  ミラー駆動回路
１５  焦点検出センサー
１６  焦点検出回路
１７  シャッター駆動回路
２１  スイッチセンス回路
２２  測光センサー
２３  測光回路
２４  液晶表示駆動回路
２５  ＬＣＤ駆動回路
２６  メモリコントローラ
２７  バッファメモリ
２８  メモリ
２９  外部インターフェース
３０  ファインダー内液晶表示装置
３１  電源部
１００  カメラ本体
１１４  レリーズボタン
１１５  メイン電子ダイヤル，
１１６  サブ電子ダイヤル
１１７  撮影モード選択ボタン
１１８  ＡＦモード選択ボタン
１１９  測光モード選択ボタン
１２０  ＬＣＤモニター装置
１２５  ダイヤル分解能設定ＳＷ
１４０  外部液晶表示装置
２００  撮影レンズ
【図１】
0004780877.tif 000002
【図２】
0004780877.tif 000003
【図３】
0004780877.tif 000004
【図４】
0004780877.tif 000005
【図５】
0004780877.tif 000006
【図６】
0004780877.tif 000007
【図７】
0004780877.tif 000008